(57)【要約】【課題】電子移動度の偏差と関係なく均一な輝度の映像（画像）を表示することができるデータ駆動部及びデータ駆動部を利用した有機発光表示装置とその駆動方法を提供すること。【解決手段】ランプパルスを生成するランプパルス発生部２５０と、供給されるデータＤａｔａを利用してデータ電流Ｉｄａｔａを生成する電流デジタル−アナログ変換部２３０と、ランプパルスをデータ線Ｄ１〜Ｄｍに供給し、ランプパルスに対応して画素１４０から供給されるピクセル電流Ｉｐｉｘｅｌとデータ電流Ｉｄａｔａとの電流値を比較してランプパルスの供給可否を制御する電流制御部２４０と、を具備することを特徴とするデータ駆動部１２０が提供される。【選択図】図５
2007233326.tif 000002
【特許請求の範囲】
【請求項１】
ランプパルスを生成するランプパルス発生部と；
供給されるデータを利用してデータ電流を生成する電流デジタル−アナログ変換部と；
前記ランプパルスをデータ線に供給し、前記ランプパルスに対応して画素から供給されるピクセル電流と前記データ電流との電流値を比較して前記ランプパルスの供給可否を制御する電流制御部と；
を具備することを特徴とする、データ駆動部。
【請求項２】
前記電流制御部は、それぞれのチャンネルごとに配置される複数の比較部を具備することを特徴とする、請求項１に記載のデータ駆動部。
【請求項３】
前記比較部それぞれは、
前記ランプパルス発生部と前記データ線との間に接続されるトランジスタと；
前記データ電流と前記ピクセル電流との電流値を比較する比較器と；
前記比較部の比較結果に対応して前記トランジスタのターンオン及びターンオフを制御する制御部と；
を具備することを特徴とする、請求項２に記載のデータ駆動部。
【請求項４】
前記制御部は、水平期間の一部期間である第１期間において、タイミング制御部からリセット信号の供給を受けて、前記第１期間において、前記トランジスタをターンオンさせることを特徴とする、請求項３に記載のデータ駆動部。
【請求項５】
前記比較器は、前記データ電流と前記ピクセル電流との電流値が相異なるとき、比較信号を供給して、前記データ電流と前記ピクセル電流との電流値が同じとき、前記比較信号の供給を中断することを特徴とする、請求項４に記載のデータ駆動部。
【請求項６】
前記制御部は、前記水平期間の第１期間を除いた第２期間において、前記比較信号の供給が中断されるとき、前記トランジスタをターンオフさせることを特徴とする、請求項５に記載のデータ駆動部。
【請求項７】
前記トランジスタがターンオンされる期間において、前記ランプパルスは、前記データ線に供給され、前記トランジスタがターンオフされる期間において、前記ランプパルスの供給は、中断されることを特徴とする、請求項６に記載のデータ駆動部。
【請求項８】
前記ランプパルスは、徐々に上昇する電圧値を持つことを特徴とする、請求項１〜７のいずれかに記載のデータ駆動部。
【請求項９】
前記ランプパルスは、徐々に下降する電圧値を持つことを特徴とする、請求項１〜７のいずれかに記載のデータ駆動部。
【請求項１０】
順次サンプリング信号を生成するシフトレジスタ部と；
前記サンプリング信号に対応して前記タイミング制御部から供給される前記データを保存するサンプリングラッチ部と；
前記サンプリングラッチ部に保存されたデータを一時保存するホルディングラッチ部と；
を具備することを特徴とする、請求項１〜９のいずれかに記載のデータ駆動部。
【請求項１１】
前記ホルディングラッチ部と前記電流デジタル−アナログ変換部との間に配置され、前記データの電圧レベルを上昇させるレベルシフタ部をさらに具備することを特徴とする、請求項１０記載のデータ駆動部。
【請求項１２】
走査線に順次走査信号を供給して、発光制御線に発光制御信号を順次供給する走査駆動部と；
データ線にランプパルス形態のデータ信号を供給して、フィードバック線から供給されるピクセル電流に対応して前記ランプパルスの供給可否を制御するデータ駆動部と；
前記走査信号が供給される間に、選択されて前記ランプパルス形態のデータ信号の供給を受けて、前記データ信号に対応する前記ピクセル電流を前記フィードバック線に供給する複数の画素と；
を含むことを特徴とする、有機発光表示装置。
【請求項１３】
前記画素それぞれは、
有機発光ダイオードと；
前記走査線に前記走査信号が供給されるとき、前記データ信号を第１ノードに供給する第１トランジスタと；
前記第１ノードに印加される電圧値に対応して前記ピクセル電流を供給する第２トランジスタと；
前記第１ノードに印加される電圧値に対応する電圧を充電するキャパシタと；
前記走査線に走査信号が供給されるとき、前記第２トランジスタから供給される前記ピクセル電流を前記フィードバック線に供給する第３トランジスタと；
前記発光制御線に前記発光制御信号が供給されないとき、ターンオンされて前記第２トランジスタから供給される前記ピクセル電流を前記有機発光ダイオードに供給する第４トランジスタと；
を具備することを特徴とする、請求項１２に記載の有機発光表示装置。
【請求項１４】
前記データ駆動部は、
前記ランプパルスを生成するランプパルス発生部と；
供給されるデータを利用してデータ電流を生成する電流デジタル−アナログ変換部と；
前記データ線に前記ランプパルスを供給し、前記フィードバック線から供給されるピクセル電流と前記データ電流との電流値を比較して前記ランプパルスの供給可否を制御する電流制御部と；
を具備することを特徴とする、請求項１３に記載の有機発光表示装置。
【請求項１５】
前記電流制御部は、複数の比較部を具備することを特徴とする、請求項１４に記載の有機発光表示装置。
【請求項１６】
前記比較部それぞれは、
前記ランプパルス発生部と前記データ線との間に接続される第１０トランジスタと；
前記データ電流と前記ピクセル電流との電流値を比較する比較器と；
前記比較部の比較結果に対応して前記第１０トランジスタのターンオン及びターンオフを制御する制御部と；
を具備することを特徴とする、請求項１５に記載の有機発光表示装置。
【請求項１７】
前記制御部は、水平期間の一部期間である第１期間において、タイミング制御部からリセット信号の供給を受けて、前記第１期間において、前記第１０トランジスタをターンオンさせることを特徴とする、請求項１６に記載の有機発光表示装置。
【請求項１８】
前記比較器は、前記データ電流と前記ピクセル電流との電流値が相異なるとき、比較信号を供給して、前記データ電流と前記ピクセル電流との電流値が同じとき、前記比較信号の供給を中断することを特徴とする、請求項１７に記載の有機発光表示装置。
【請求項１９】
前記制御部は、前記水平期間の第１期間を除いた第２期間において、前記比較信号の供給が中断されるとき、前記第１０トランジスタをターンオフさせることを特徴とする、請求項１８に記載の有機発光表示装置。
【請求項２０】
前記第１０トランジスタがターンオンされる期間において、前記ランプパルスは、前記データ線に供給され、前記第１０トランジスタがターンオフされる期間において、前記ランプパルスの供給は、中断されることを特徴とする、請求項１９に記載の有機発光表示装置。
【請求項２１】
前記キャパシタは、前記第１０トランジスタがターンオンされる期間において、前記ランプパルスの電圧値に対応する電圧を充電することを特徴とする、請求項１９に記載の有機発光表示装置。
【請求項２２】
前記ランプパルスは、徐々に上昇する電圧値を持つことを特徴とする、請求項１２〜２１のいずれかに記載の有機発光表示装置。
【請求項２３】
前記ランプパルスは、徐々に下降する電圧値を持つことを特徴とする、請求項１２〜２１のいずれかに記載の有機発光表示装置。
【請求項２４】
前記データ駆動部は、
順次サンプリング信号を生成するシフトレジスタ部と；
前記サンプリング信号に対応して前記タイミング制御部から供給される前記データを保存するサンプリングラッチ部と；
前記サンプリングラッチ部に保存されたデータを一時保存するホルディングラッチ部と；
を具備することを特徴とする、請求項１４〜２３のいずれかに記載の有機発光表示装置。
【請求項２５】
データに対応してデータ電流を生成する段階と；
走査信号を順次供給して水平ライン単位で画素を選択する段階と；
前記選択された画素にランプパルス形態のデータ信号を供給する段階と；
前記データ信号が供給される画素からのピクセル電流と前記データ電流との電流値を比較する段階と；
前記ピクセル電流と前記データ電流との電流値が同じとき、前記データ信号の供給を中断する段階と；
を含むことを特徴とする、有機発光表示装置の駆動方法。
【請求項２６】
前記ランプパルスは、徐々に上昇する電圧値に設定されることを特徴とする、請求項２５に記載の有機発光表示装置の駆動方法。
【請求項２７】
前記ランプパルスは、徐々に下降する電圧値に設定されることを特徴とする、請求項２５に記載の有機発光表示装置の駆動方法。
【発明の詳細な説明】
【技術分野】
【０００１】
本発明は、データ駆動部及びデータ駆動部を利用した有機発光表示装置とその駆動方法に関する。
【背景技術】
【０００２】
最近、陰極線管（Ｃａｔｈｏｄｅ  Ｒａｙ  Ｔｕｂｅ）の短所である重さ及び体積を減らすことができる各種平板表示装置が開発されている。平板表示装置としては、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）、及び有機発光表示装置（Ｏｒｇａｎｉｃ  Ｌｉｇｈｔ  Ｅｍｉｔｔｉｎｇ  Ｄｉｓｐｌａｙ）などがある。
【０００３】
平板表示装置の中で有機発光表示装置は、電子と正孔との再結合によって光を発生する有機発光ダイオードを利用して映像を表示する。このような有機発光表示装置は、早い応答速度を持つと同時に低い消費電力で駆動されるという長所がある。
【０００４】
従来の有機発光表示装置について説明する。図１は、従来の有機発光表示装置を示す図面である。図１に示すように、従来の有機発光表示装置は、走査線Ｓ１〜Ｓｎとデータ線Ｄ１〜Ｄｍとに接続された複数の画素４０を含む画素部３０と、走査線Ｓ１〜Ｓｎを駆動するための走査駆動部１０と、データ線Ｄ１〜Ｄｍを駆動するためのデータ駆動部２０と、走査駆動部１０及びデータ駆動部２０を制御するためのタイミング制御部５０を具備する。
【０００５】
タイミング制御部５０は、外部から供給される同期信号に対応してデータ駆動制御信号ＤＣＳ及び走査駆動制御信号ＳＣＳを生成する。タイミング制御部５０から生成されたデータ駆動制御信号ＤＣＳは、データ駆動部２０に供給されて、走査駆動制御信号ＳＣＳは走査駆動部１０に供給される。そして、タイミング制御部５０は、外部から供給されるデータをデータ駆動部２０に供給する。
【０００６】
走査駆動部１０は、タイミング制御部５０から走査駆動制御信号ＳＣＳの供給を受ける。走査駆動制御信号ＳＣＳの供給を受けた走査駆動部１０は、走査信号を生成して、生成した走査信号を走査線Ｓ１〜Ｓｎに順次供給する。
【０００７】
データ駆動部２０は、タイミング制御部５０からデータ駆動制御信号ＤＣＳの供給を受ける。データ駆動制御信号ＤＣＳの供給を受けたデータ駆動部２０は、データ信号を生成して、生成したデータ信号を走査信号と同期されるようにデータ線Ｄ１〜Ｄｍに供給する。
【０００８】
画素部３０は、外部から第１電源ＥＬＶＤＤ及び第２電源ＥＬＶＳＳの供給を受けて、それぞれの画素４０に供給する。第１電源ＥＬＶＤＤ及び第２電源ＥＬＶＳＳの供給を受けた画素４０のそれぞれは、データ信号に対応して、第１電源ＥＬＶＤＤから有機発光ダイオードを経由して第２電源ＥＬＶＳＳに流れる電流を制御する。よって、それぞれの画素４０は、有機発光ダイオードに流れる電流を制御することでデータ信号に対応する光を生成する。すなわち、従来の有機発光表示装置において、それぞれの画素４０は、データ信号の電圧値に対応して所定輝度の光を生成する。
【０００９】
【特許文献１】大韓民国特許公開第２００５−００３５５５０号
【発明の開示】
【発明が解決しようとする課題】
【００１０】
しかし、従来の有機発光表示装置によれば、それぞれの画素４０に含まれるトランジスタの閾値電圧のバラ付き及び電子移動度（ｅｌｅｃｔｒｏｎ  ｍｏｂｉｌｉｔｙ）の偏差によって所望の輝度を有する映像を表示することができないという問題点がある。
【００１１】
実際に、画素４０それぞれに含まれるトランジスタの閾値電圧は、画素４０に含まれる画素回路の構造を制御することで、ある程度補償することができる。しかし、電子移動度の偏差は補償することができない。
【００１２】
そこで、本発明は、上記問題に鑑みてなされたものであり、本発明の目的とするところは、電子移動度の偏差と関係なく均一な輝度の映像（画像）を表示することが可能な、新規かつ改良されたデータ駆動部及びデータ駆動部を利用した有機発光表示装置とその駆動方法を提供することにある。
【課題を解決するための手段】
【００１３】
上記課題を解決するために、本発明のある観点によれば、ランプパルスを生成するランプパルス発生部と、供給されるデータを利用してデータ電流を生成する電流デジタル−アナログ変換部と、ランプパルスをデータ線に供給し、ランプパルスに対応して画素から供給されるピクセル電流とデータ電流との電流値を比較してランプパルスの供給可否を制御する電流制御部と、を具備することを特徴とする、データ駆動部が提供される。
【００１４】
また、電流制御部は、それぞれのチャンネルごとに配置される複数の比較部を具備してもよい。
【００１５】
また、比較部それぞれは、ランプパルス発生部とデータ線との間に接続されるトランジスタと、データ電流とピクセル電流との電流値を比較する比較器と、比較部の比較結果に対応してトランジスタのターンオン及びターンオフを制御する制御部と、
を具備してもよい。
【００１６】
また、制御部は、水平期間の一部期間である第１期間において、タイミング制御部からリセット信号の供給を受けて、第１期間において、トランジスタをターンオンさせてもよい。
【００１７】
また、比較器は、データ電流とピクセル電流との電流値が相異なるとき、比較信号を供給して、データ電流とピクセル電流との電流値が同じとき、比較信号の供給を中断してもよい。
【００１８】
また、制御部は、水平期間の第１期間を除いた第２期間において、比較信号の供給が中断されるとき、トランジスタをターンオフさせてもよい。
【００１９】
また、トランジスタがターンオンされる期間において、ランプパルスは、データ線に供給され、トランジスタがターンオフされる期間において、ランプパルスの供給は、中断されてもよい。
【００２０】
また、ランプパルスは、徐々に上昇する電圧値を持ってもよい。
【００２１】
また、ランプパルスは、徐々に下降する電圧値を持ってもよい。
【００２２】
また、順次サンプリング信号を生成するシフトレジスタ部と、サンプリング信号に対応してタイミング制御部から供給されるデータを保存するサンプリングラッチ部と、サンプリングラッチ部に保存されたデータを一時保存するホルディングラッチ部と、を具備してもよい。
【００２３】
また、ホルディングラッチ部と電流デジタル−アナログ変換部との間に配置され、データの電圧レベルを上昇させるレベルシフタ部をさらに具備してもよい。
【００２４】
また、上記課題を解決するために、本発明の別の観点によれば、走査線に順次走査信号を供給して、発光制御線に発光制御信号を順次供給する走査駆動部と、データ線にランプパルス形態のデータ信号を供給し、フィードバック線から供給されるピクセル電流に対応してランプパルスの供給可否を制御するデータ駆動部と、走査信号が供給される間に、選択されてランプパルス形態のデータ信号の供給を受けて、データ信号に対応するピクセル電流をフィードバック線に供給する複数の画素と、を含むことを特徴とする、有機発光表示装置が提供される。
【００２５】
また、画素それぞれは、有機発光ダイオードと、走査線に走査信号が供給されるとき、データ信号を第１ノードに供給する第１トランジスタと、第１ノードに印加される電圧値に対応してピクセル電流を供給する第２トランジスタと、第１ノードに印加される電圧値に対応する電圧を充電するキャパシタと、走査線に走査信号が供給されるとき、第２トランジスタから供給されるピクセル電流をフィードバック線に供給する第３トランジスタと、発光制御線に発光制御信号が供給されないとき、ターンオンされて第２トランジスタから供給されるピクセル電流を有機発光ダイオードに供給する第４トランジスタと、を具備してもよい。
【００２６】
また、データ駆動部は、ランプパルスを生成するランプパルス発生部と、供給されるデータを利用してデータ電流を生成する電流デジタル−アナログ変換部と、データ線にランプパルスを供給し、フィードバック線から供給されるピクセル電流とデータ電流との電流値を比較してランプパルスの供給可否を制御する電流制御部と、を具備してもよい。
【００２７】
また、電流制御部は、複数の比較部を具備してもよい。
【００２８】
また、比較部それぞれは、ランプパルス発生部とデータ線との間に接続される第１０トランジスタと、データ電流とピクセル電流との電流値を比較する比較器と、比較部の比較結果に対応して第１０トランジスタのターンオン及びターンオフを制御する制御部と、を具備してもよい。
【００２９】
また、制御部は、水平期間の一部期間である第１期間において、タイミング制御部からリセット信号の供給を受けて、第１期間において、第１０トランジスタをターンオンさせてもよい。
【００３０】
また、比較器は、データ電流とピクセル電流との電流値が相異なるとき、比較信号を供給して、データ電流とピクセル電流との電流値が同じとき、比較信号の供給を中断してもよい。
【００３１】
また、制御部は、水平期間の第１期間を除いた第２期間において、比較信号の供給が中断されるとき、第１０トランジスタをターンオフさせてもよい。
【００３２】
また、第１０トランジスタがターンオンされる期間において、ランプパルスは、データ線に供給され、第１０トランジスタがターンオフされる期間において、ランプパルスの供給は、中断されてもよい。
【００３３】
また、キャパシタは、第１０トランジスタがターンオンされる期間において、ランプパルスの電圧値に対応する電圧を充電してもよい。
【００３４】
また、ランプパルスは、徐々に上昇する電圧値を持ってもよい。
【００３５】
また、ランプパルスは、徐々に下降する電圧値を持ってもよい。
【００３６】
また、データ駆動部は、順次サンプリング信号を生成するシフトレジスタ部と、サンプリング信号に対応してタイミング制御部から供給されるデータを保存するサンプリングラッチ部と、サンプリングラッチ部に保存されたデータを一時保存するホルディングラッチ部と、を具備してもよい。
【００３７】
また、上記課題を解決するために、本発明の別の観点によれば、データに対応してデータ電流を生成する段階と、走査信号を順次供給して水平ライン単位で画素を選択する段階と、選択された画素にランプパルス形態のデータ信号を供給する段階と、データ信号が供給される画素からのピクセル電流とデータ電流との電流値を比較する段階と、ピクセル電流とデータ電流との電流値が同じとき、データ信号の供給を中断する段階と、を含むことを特徴とする、有機発光表示装置の駆動方法が提供される。
【００３８】
また、ランプパルスは、徐々に上昇する電圧値に設定されてもよい。
【００３９】
また、ランプパルスは、徐々に下降する電圧値に設定されてもよい。
【００４０】
本発明によれば、データ信号としてランプパルスを供給して、供給されたランプパルスに対応されるピクセル電流を画素からフィードバックしてもらう。そして、フィードバックされたピクセル電流と画素に実際流れるべきデータ電流との電流値を比較し、比較結果が同じである場合、データ信号の供給を中断する。すなわち、本発明では画素に所望のピクセル電流が流れるとき、データ信号の供給を中断することでトランジスタの閾値電圧及び電子移動度などに関係なく所望の輝度の画像を均一に表示することができる。
【発明の効果】
【００４１】
以上説明したように、本発明によれば、電子移動度の偏差と関係なく均一な輝度の映像（画像）を表示することができる。
【発明を実施するための最良の形態】
【００４２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００４３】
以下で、図２〜図７を参照しながら、本発明の第１の実施形態について詳しく説明する。まず、図２を参照しながら、本実施形態にかかる有機発光表示装置の全体の構成と駆動について説明する。図２は、本実施形態にかかる有機発光表示装置を示す図面である。
【００４４】
図２に示すように、本実施形態にかかる有機発光表示装置は、走査線Ｓ１〜Ｓｎ、発光制御線Ｅ１〜Ｅｎ、データ線Ｄ１〜Ｄｍ及びフィードバック線Ｆ１〜Ｆｍによって区画された領域に形成される画素１４０を含む画素部１３０と、走査線Ｓ１〜Ｓｎ及び発光制御線Ｅ１〜Ｅｎを駆動するための走査駆動部１１０と、データ線Ｄ１〜Ｄｍ及びフィードバック線Ｆ１〜Ｆｍを駆動するためのデータ駆動部１２０と、走査駆動部１１０及びデータ駆動部１２０を制御するためのタイミング制御部１５０と、を具備する。
【００４５】
画素部１３０は、走査線Ｓ１〜Ｓｎ、発光制御線Ｅ１〜Ｅｎ、データ線Ｄ１〜Ｄｍ及びフィードバック線Ｆ１〜Ｆｍに接続される画素１４０を複数具備する。走査線Ｓ１〜Ｓｎは、水平方向に延長形成されて画素１４０に走査信号を供給する。発光制御線Ｅ１〜Ｅｎは、水平方向に延長形成されて画素１４０に発光制御信号を供給する。データ線Ｄ１〜Ｄｍは、垂直方向に延長形成されて画素１４０にランプパルス形態のデータ信号を供給する。
【００４６】
ここで、データ線Ｄ１〜Ｄｍに供給されるデータ信号は、ランプパルス形態で徐々に上昇または徐々に下降する電圧を持つ。フィードバック線Ｆ１〜Ｆｍは、垂直方向に延長形成されて、画素１４０から供給されるピクセル電流をデータ駆動部１２０に供給する。ここで、ピクセル電流は、データ信号に対応して画素１４０に実際に流れる電流を意味する。
【００４７】
また、画素１４０は、外部から第１電源ＥＬＶＤＤ及び第２電源ＥＬＶＳＳの供給を受ける。第１電源ＥＬＶＤＤ及び第２電源ＥＬＶＳＳの供給を受けたそれぞれの画素１４０は、データ線Ｄから供給されるデータ信号に対応して、第１電源ＥＬＶＤＤから有機発光ダイオードを経由して第２電源ＥＬＶＳＳに流れる電流（ピクセル電流）を制御する。
【００４８】
ここで、データ信号がランプパルス形態で供給されるから、ピクセル電流は、時間が経つにつれて次第に上昇（または下降）する。そして、画素１４０はデータ線Ｄからデータ信号が供給されるとき、ピクセル電流をフィードバック線Ｆに供給する。
【００４９】
タイミング制御部１５０は、外部から供給される同期信号に対応して、データ駆動制御信号ＤＣＳ及び走査駆動制御信号ＳＣＳを生成する。タイミング制御部１５０から生成されたデータ駆動制御信号ＤＣＳは、データ駆動部１２０に供給されて、走査駆動制御信号ＳＣＳは、走査駆動部１１０に供給される。そして、タイミング制御部１５０は外部から供給されるデータＤａｔａをデータ駆動部１２０に供給する。
【００５０】
走査駆動部１１０は、タイミング制御部１５０から走査駆動制御信号ＳＣＳの供給を受ける。走査駆動制御信号ＳＣＳの供給を受けた走査駆動部１１０は、走査信号を生成して、生成された走査信号を走査線Ｓ１〜Ｓｎに順次供給する。すなわち、走査信号の供給を受けた走査線Ｓ１〜Ｓｎ上にある画素１４０は、水平ライン単位で、選択されることになる。
【００５１】
データ駆動部１２０は、タイミング制御部１５０からデータ駆動制御信号ＤＣＳの供給を受ける。データ駆動制御信号ＤＣＳの供給を受けたデータ駆動部１２０は、ランプパルス形態のデータ信号を走査信号と同期されるようにデータ線Ｄ１〜Ｄｍに供給する。そして、データ駆動部１２０は、フィードバック線Ｆ１〜Ｆｍを経由してそれぞれの画素１４０からピクセル電流の供給を受ける。ピクセル電流の供給を受けたデータ駆動部１２０は、ピクセル電流の電流値が所望の電流であるかチェックする。例えば、データに対応して画素１４０に流れるべきピクセル電流が１０μＡの場合、データ駆動部１２０は、それぞれの画素１４０から供給されるピクセル電流が１０μＡであるかチェックする。
【００５２】
ここで、それぞれの画素１４０で所望のピクセル電流（データに対応した電流であるピクセル電流）が流れる場合、データ駆動部１２０は、データ信号の供給を中断する。このために、データ駆動部１２０は、ｊ（ｊは自然数）個のチャンネルで構成される少なくとも１つ以上のデータ駆動回路１２９を具備する。
【００５３】
次に、図３を参照しながら、本実施形態にかかるデータ駆動回路について説明する。図３は、図２に示されたデータ駆動回路を示す図面である。図３中では、説明の便宜上、ｊ（ｊは自然数）個のチャンネルを持つ少なくとも１つ以上のデータ駆動回路１２９のうちの１つについて図示し、説明する。
【００５４】
図３に示すように、データ駆動回路１２９は、サンプリング信号を順次生成するためのシフトレジスタ部２００と、サンプリング信号に応答してデータを順次保存するためのサンプリングラッチ部２１０と、サンプリングラッチ部２１０のデータを一時保存すると同時に保存されたデータを電流デジタル−アナログ変換部（Ｄｉｇｉｔａｌ−Ａｎａｌｏｇ  Ｃｏｎｖｅｒｔｅｒ:ＤＡＣ。以下、電流ＤＡＣ部という。）２３０に供給するためのホルディングラッチ部２２０と、データのビット値に対応してデータ電流Ｉｄａｔａを生成するための電流ＤＡＣ部２３０と、フィードバック線（Ｆ１〜Ｆｊ）から供給されるピクセル電流Ｉｐｉｘｅｌとデータ電流Ｉｄａｔａとを比較して比較値に対応してデータ信号の供給可否を制御する電流制御部２４０と、ランプパルスを供給するためのランプパルス発生部２５０と、を具備する。
【００５５】
シフトレジスタ部２００は、タイミング制御部１５０からソースシフトクロックＳＳＣ及びソーススタートパルスＳＳＰの供給を受ける。ソースシフトクロックＳＳＣ及びソーススタートパルスＳＳＰの供給を受けたシフトレジスタ部２００は、ソースシフトクロックＳＳＣの１周期ごとに、ソーススタートパルスＳＳＰをシフトさせながら順次ｊ個のサンプリング信号を生成する。このために、シフトレジスタ部２００はｊ個のシフトレジスタ（２００１〜２００ｊ）を具備する。なお、ソースシフトクロックＳＳＣ及びソーススタートパルスＳＳＰは、データ駆動制御信号ＤＣＳに含まれる。
【００５６】
サンプリングラッチ部２１０は、シフトレジスタ部２００から順次供給されるサンプリング信号に応答して、タイミング制御部１５０から供給されるデータを順次保存する。ここで、サンプリングラッチ部２１０は、ｊ個のデータを保存するためにｊ個のサンプリングラッチ（２１０１〜２１０ｊ）を具備する。そして、それぞれのサンプリングラッチ（２１０１〜２１０ｊ）は、データのビットに対応する大きさを持つ。例えば、データがｋビットで構成される場合、サンプリングラッチ（２１０１〜２１０ｊ）それぞれはｋビットの大きさに設定される。
【００５７】
ホルディングラッチ部２２０は、タイミング制御部１５０から、ソース出力イネーブル信号ＳＯＥの供給を受ける。ソース出力イネーブル信号ＳＯＥの供給を受けたホルディングラッチ部２２０は、ソース出力イネーブル信号ＳＯＥが入力されるとき、サンプリングラッチ部２１０からデータを入力してもらい、当該データを保存する。そして、ホルディングラッチ部２２０は、ソース出力イネーブル信号ＳＯＥが入力されるとき、ホルディングラッチ部２２０に保存したデータを電流ＤＡＣ部２３０に供給する。このために、ホルディングラッチ部２２０は、ｋビットの大きさに設定されたｊ個のホルディングラッチ（２２０１〜２２０ｊ）を具備する。なお、ソース出力イネーブル信号ＳＯＥは、データ駆動制御信号ＤＣＳに含まれる。
【００５８】
電流ＤＡＣ部２３０は、データのビット値（すなわち、階調値）に対応してデータ電流Ｉｄａｔａを生成して、生成したデータ電流Ｉｄａｔａを電流制御部２４０に供給する。ここで、データ電流Ｉｄａｔａは、データのビット値に対応して生成される電流であり、実際に画素１４０に流れるべき電流を意味する。
【００５９】
つまり、画素１４０でデータ電流Ｉｄａｔａと同じピクセル電流Ｉｐｉｘｅｌが有機発光ダイオードに供給されると、所望の輝度の画像を表示することができる。
【００６０】
電流ＤＡＣ部２３０は、ホルディングラッチ部２２０から供給されるｊ個のデータの対応してｊ個のデータ電流Ｉｄａｔａを生成する。このために、電流ＤＡＣ部２３０は、ｊ個の電流ＤＡＣ（２３０１〜２３０ｊ）を具備する。
【００６１】
ランプパルス発生部２５０は、時間が経つにつれて上昇または下降する電圧を有するランプパルスを、電流制御部２４０に含まれる比較部（２４０１〜２４０ｊ）それぞれに供給する。ここで、ランプパルスは、データ信号として比較部（２４０１〜２０４ｊ）を経由してデータ線Ｄｊに供給される。
【００６２】
電流制御部２４０は、ランプパルス発生部２５０から供給されるランプパルスを、データ信号としてデータ線（Ｄ１〜Ｄｊ）に供給する。そして、電流制御部２４０は、画素１４０からデータ信号に対応するピクセル電流Ｉｐｉｘｅｌの供給をうける。ピクセル電流Ｉｐｉｘｅｌの供給を受けた電流制御部２４０は、ピクセル電流Ｉｐｉｘｅｌとデータ電流Ｉｄａｔａとを比較して、ピクセル電流Ｉｐｉｘｅｌとデータ電流Ｉｄａｔａとが同じであったとき、データ信号の供給を中断する。
【００６３】
また、電流制御部２４０は、それぞれの水平期間の一部期間である第１期間において、タイミング制御部からリセット信号Ｒｅｓｅｔの供給を受けてる。そして、電流制御部２４０は、リセット信号が供給される期間において、データ線（Ｄ１〜Ｄｊ）にデータ信号を供給する。このために、電流制御部２４０は、ｊ個の比較部（２４０１〜２４０ｊ）を具備する。
【００６４】
また、図４は、図２に示されたデータ駆動回路の変形例を示す図面である。図４に示すように、本実施形態にかかるデータ駆動回路１２９は、ホルディングラッチ部２２０と電流ＤＡＣ部２３０との間に配置されるレベルシフタ部２６０をさらに具備することができる。レベルシフタ部２６０は、ホルディングラッチ部２３０から供給されるデータの電圧レベルを上昇させて電流ＤＡＣ部２３０に供給する。
【００６５】
外部システムからデータ駆動回路１２９に高い電圧レベルを有するデータが供給されれば、電圧レベルに対応される回路部品が設置されなければならないので、製造コストが増加される。したがって、データ駆動回路１２９８の外部では低い電圧レベルを有するデータを供給して、この低い電圧レベルを持つデータをレベルシフタ部２６０で高い電圧レベルに昇圧させる。よって、レベルシフタ部２６０をさらに具備することにより、製造コストを抑えることができる。
【００６６】
次に、図５を参照しながら、比較部（２４０１〜２４０ｊ）及び画素１４０の構成と作動について説明する。図５は、比較部（２４０１〜２４０ｊ）及び画素１４０の構造を示す図面である。なお、図５では説明の便宜上、ｊ番目データ線Ｄｊ及びｎ番目走査線Ｓｎに接続される比較部２４０ｊ及び画素１４０を示し、以下で説明する。しかし、他の比較部（２４０１〜２４０ｊ）及び他の画素１４０も、同様の構成と作動である。また、走査線Ｓｎは、走査信号の供給を受けるので、当該画素１４０は、走査信号の供給を受けたとき、水平ライン単位で選択された画素１４０に対応する。また、当該画素１４０が水平ライン単位で選択された水平期間、すなわち、走査線Ｓｎに走査信号が供給された水平期間を、以下では特定水平期間として説明する。
【００６７】
図５に示すように、本実施形態の画素１４０は、有機発光ダイオードＯＬＥＤと、有機発光ダイオードＯＬＥＤに供給される電流量を制御するための画素回路１４２と、を具備する。
【００６８】
有機発光ダイオードＯＬＥＤは、画素回路１４２から供給される電流量に対応して所定の輝度の光を生成する。例えば、有機発光ダイオードＯＬＥＤは、画素回路１４２から供給される電流量に対応して赤、緑または青の光を生成する。
【００６９】
画素回路１４２は、有機発光ダイオードＯＬＥＤに所定の電流を供給する。このために、画素回路１４２は、第１トランジスタＭ１〜第４トランジスタＭ４と、キャパシタＣ１と、を具備する。
【００７０】
第１トランジスタＭ１の第１電極は、データ線Ｄｊに接続されて、第２電極は、第１ノードＮ１に接続される。そして、第１トランジスタＭ１のゲート電極は、走査線Ｓｎに接続される。このような第１トランジスタＭ１は、走査線Ｓｎに走査信号が供給されると、ターンオンされて、データ線Ｄｊから供給されるデータ信号を第１ノードＮ１に供給する。
【００７１】
一方、第１電極は、ソース電極及びドレイン電極の中でいずれか一つに設定されて、第２電極は、第１電極と異なる電極に設定される。例えば、第１電極が、ソース電極に設定されれば、第２電極は、ドレイン電極に設定される。
【００７２】
第２トランジスタＭ２の第１電極は、第１電源ＥＬＶＤＤに接続されて、第２電極は、第４トランジスタＭ４の第１電極に接続される。そして、第２トランジスタＭ２のゲート電極は、第１ノードＮ１に接続される。このような第２トランジスタＭ２は、キャパシタＣ１に充電された電圧に対応して所定の電流を第４トランジスタＭ４に供給する。
【００７３】
第３トランジスタＭ３の第１電極は、第２トランジスタＭ２の第２電極に接続されて、第２電極は、フィードバック線Ｆｊに接続される。そして、第３トランジスタＭ３のゲート電極は、走査線Ｓｎに接続される。このような第３トランジスタＭ３は、走査線Ｓｎに走査信号が供給されると、ターンオンされて、第２トランジスタＭ２から供給されるピクセル電流をフィードバック線Ｆｊに供給する。
【００７４】
第４トランジスタＭ４の第１電極は、第２トランジスタＭ２の第２電極に接続されて、第２電極は、有機発光ダイオードＯＬＥＤに接続される。そして、第４トランジスタＭ４のゲート電極は、発光制御線Ｅｎに接続される。このような第４トランジスタＭ４は、発光制御線Ｅｎに発光制御信号が供給されると、ターンオフされて、それ以外の場合にターンオンされて、第２トランジスタＭ２の第２電極と有機発光ダイオードＯＬＥＤとを接続させる。したがって、第４トランジスタＭ４がターンオンされれば、第２トランジスタＭ２から供給されるピクセル電流が有機発光ダイオードＯＬＥＤに供給される。このような画素１４０の詳細な動作過程は後述する。
【００７５】
本実施形態による比較部２４０ｊは、比較器２４１、制御部２４２及び第１０トランジスタＭ１０を具備する。
【００７６】
比較器２４１は、フィードバック線Ｆｊから供給されるピクセル電流Ｉｐｉｘｅｌと、電流ＤＡＣ部２３０から供給されるデータ電流Ｉｄａｔａと、を比較する。ここで、比較器２４１は、ピクセル電流Ｉｐｉｘｅｌとデータ電流Ｉｄａｔａの電流値が相異なるとき、比較信号を生成して制御部２４２に供給する。そして、比較器２４１は、ピクセル電流Ｉｐｉｘｅｌがデータ電流Ｉｄａｔａと同じ電流値を持つとき、制御部２４２に供給される比較信号の供給を中断する。
【００７７】
制御部２４２は、リセット信号Ｒｅｓｅｔまたは比較信号が供給されるとき、制御信号ＣＳを供給して第１０トランジスタＭ１０をターンオンさせ、それ以外の場合には、第１０トランジスタＭ１０をターンオフさせる。このために、制御部２４２は、示されていない論理ゲートで具現される。例えば、制御部２４２は、オア（ＯＲ）ゲート、アンド（ＡＮＤ）ゲート、ナンド（ＮＡＮＤ）ゲート及びノア（ＮＯＲ）ゲートの中で少なくとも一つ以上を組み合わせて具現されうる。
【００７８】
第１０トランジスタＭ１０は、ランプパルス発生部２５０と制御部２４２から制御信号ＣＳが供給されるとき、ターンオンされて、それ以外の場合にターンオフされる。第１０トランジスタＭ１０がターンオンされれば、ランプパルス発生部２５０からのランプパルスが、データ信号としてデータ線Ｄｊに供給される。第１０トランジスタＭ１０がターンオフされれば、データ信号の供給が中断される。
【００７９】
以下で、図５及び図６Ａを参照しながら、本実施形態にかかる駆動波形及び動作過程について説明する。図６Ａは、図５に示された比較部２４０ｊ及び画素１４０に供給される駆動波形を示す波形図である。
【００８０】
図５及び図６Ａを参照しながら、動作過程を詳しく説明すれば、まず、特定水平期間において、走査線Ｓｎに走査信号が供給されると同時に、走査駆動部１１０から発光制御線Ｅｎに発光制御信号が供給される。発光制御線Ｅｎに発光制御信号が供給されれば、第４トランジスタＭ４がターンオフされる。走査線Ｓｎに走査信号が供給されれば、第１トランジスタＭ１及び第３トランジスタＭ３がターンオンされる。
【００８１】
また、特定水平期間の第１期間Ｔ１において、リセット信号が制御部２４２に供給される。すると、制御部２４２は、リセット信号が供給される第１期間Ｔ１において、制御信号ＣＳを第１０トランジスタＭ１０に供給して、第１０トランジスタＭ１０をターンオンさせる。第１０トランジスタＭ１０がターンオンされれば、ランプパルス発生部２５０から供給されるランプパルスが、データ線Ｄｊに供給される。
【００８２】
データ線Ｄｊに供給されたランプパルスは、第１トランジスタＭ１を経由して第１ノードＮ１に供給される。このとき、キャパシタＣ１は、第１ノードＮ１に供給されるランプパルスに対応して順次上昇する電圧を充電する。そして、第２トランジスタＭ２は、第１ノードＮ１に印加されたランプパルスの電圧に対応して、所定のピクセル電流Ｉｐｉｘｅｌを第３トランジットＭ３を経由してフィードバック線Ｆｊに供給する。
【００８３】
すると、比較器２４１は、ピクセル電流Ｉｐｉｘｅｌとデータ電流Ｉｄａｔａとの電流値が同じであるかを比較する。ここで、ピクセル電流Ｉｐｉｘｅｌとデータ電流Ｉｄａｔａとの電流値が同じでなければ、比較器２４１は、比較信号を制御部２４２に供給する。
【００８４】
比較信号の供給を受けた制御部２４２は、第１０トランジスタＭ１０がターンオン状態を維持するように、制御信号ＣＳを第１０トランジスタＭ１０に供給する。すなわち、制御部２４２は、第２期間ｔ２中、比較信号の供給が中断されるまで制御信号ＣＳを第１０トランジスタＭ１０に供給して、第１０トランジスタＭ１０のターンオン状態を維持する。
【００８５】
また、比較器２４１は、ピクセル電流Ｉｐｉｘｅｌとデータ電流Ｉｄａｔａとの電流値が同じであるとき、比較信号の供給を中断する。すると、制御部２４２は、比較信号の供給が中断された時点で、第１０トランジスタＭ１０をターンオフさせる。すなわち、制御部２４２は、ピクセル電流Ｉｐｉｘｅｌとデータ電流Ｉｄａｔａとが同じ電流値を持つとき、制御信号ＣＳの供給を中断して、第１０トランジスタＭ１０をターンオフさせる。例えば、制御部２４２は、図６ｂのように第２期間ｔ２の特定の時点ｔ０に制御信号ＣＳの供給を中断する。ここで、図６ｂは、図６ａに示された駆動波形の一作動例を示す波形図である。
【００８６】
第１０トランジスタＭ１０がターンオフされれば、データ線Ｄｊのランプパルス供給が中断される。これによって、画素１４０のキャパシタＣ１は、第１０トランジスタＭ１０がターンオフされる前までに供給されたランプパルスに対応する電圧を充電する。すなわち、第１０トランジスタＭ１０がターンオフされる時点において、キャパシタＣ１には、データ電流Ｉｄａｔａとおおよそ同じピクセル電流Ｉｐｉｘｅｌを流すことができる電圧が充電される。
【００８７】
特定水平期間以後には、走査信号の供給が中断されて、第１トランジスタＭ１及び第３トランジスタＭ３がターンオフされる。そして、特定水平期間以後には、走査駆動部１１０から発光制御線Ｅｎへの発光制御信号の供給が中断されて、第４トランジスタＭ４がターンオンされる。第４トランジスタＭ４がターンオンされれば、キャパシタＣ１に充電された電圧に対応するピクセル電流Ｉｐｉｘｅｌが有機発光ダイオードＯＬＥＤに供給され、これによって有機発光ダイオードＯＬＥＤから所定輝度の光が生成される。なお、この際、第２トランジスタＭ２は、キャパシタＣ１に充電された電圧に対応する電流が流れることによって、ターンオンされる。
【００８８】
上述したように、本実施形態では、画素に流れるピクセル電流Ｉｐｉｘｅｌを電流制御部２４０の比較部（２４０１〜２４０ｊ）の比較器２４１にフィードバックし、フィードバックとして受けたピクセル電流Ｉｐｉｘｅｌとデータ電流Ｉｄａｔａとを比較することで画素に充電される電圧値を制御するようになる。なお、当該比較は、電流制御部２４０の比較器２４１で行われ、当該充電は、画素１４０のキャパシタＣ１に成される。
【００８９】
このように画素に流れるピクセル電流を直接フィードバックして、画素に充電される電圧値を制御すれば、画素１４０に含まれたトランジスタの閾値電圧のバラ付き及び電子移動度の偏差に対して無関係に均一な輝度の画像を表示することができる。
【００９０】
また、本実施形態では、ランプパルス発生部２５０から供給されるランプパルスを、すべてのチャンネルに含まれた比較部（２４０１〜２４０ｊ）に供給する。このようにランプパルス発生部２５０から供給されるランプパルスを、すべてのチャンネルに含まれた比較部（２４０１〜２４０ｊ）に供給すれば、チャンネル間電圧偏差などをとり除いて、均一な画像を表示することができる。
【００９１】
実際に、従来の有機発光表示装置では、データ信号が互いに異なるチャンネルから生成され、これによってチャンネルに含まれたアンプの偏差によって均一な画像を表示しにくかった。
【００９２】
また、本実施形態でランプパルス発生部２５０から供給されるランプパルスは、多様な形態に設定されうる。例えば、ランプパルス発生部２５０は、図７に示されたように徐々に下降する電圧値を持つランプパルスを生成することができる。このように徐々に下降するランプパルスがデータ線Ｄｊに供給されても画素１４０で安定的に所望の輝度の画像を表示することができる。
【００９３】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００９４】
本発明は、データ駆動部及びこれを利用した有機発光表示装置とその駆動方法に適用可能である。
【図面の簡単な説明】
【００９５】
【図１】従来の有機発光表示装置を示す図面である。
【図２】本発明の第１の実施形態にかかる有機発光表示装置を示す図面である。
【図３】図２に示されたデータ駆動回路を示す図面である。
【図４】図２に示されたデータ駆動回路の変形例を示す図面である。
【図５】図３に示された比較部及び画素の構造を示す図面である。
【図６ａ】図５に示された比較部及び画素に供給される駆動波形を示す波形図である。
【図６ｂ】図６ａに示された駆動波形の一作動例を示す波形図である。
【図７】図５に示された比較部及び画素に供給される駆動波形の変形例を示す波形図である。
【符号の説明】
【００９６】
１０、１１０    走査駆動部
２０、１２０    データ駆動部
３０、１３０    画素部
４０、１４０    画素
５０、１５０    タイミング制御部
Ｓ１〜Ｓｎ      走査線
Ｅ１〜Ｅｎ      発光制御線
Ｄ１〜Ｄｍ      データ線
Ｆ１〜Ｆｍ      フィードバック線
ＥＬＶＤＤ      第１電源
ＥＬＶＳＳ      第２電源
１４２          画素回路
２００          シフトレジスタ部
２１０          サンプリングラッチ部
２２０          ホールディングラッチ部
２３０          電流デジタル−アナログ変換部
２４０          電流制御部
２４１          比較器
２４２          制御部
２５０          ランプパルス発生部
２６０          レベルシフタ部
ＳＣＳ          走査駆動制御信号
ＤＣＳ          データ駆動制御信号
Ｄａｔａ        データ
ＯＬＥＤ        有機発光ダイオード
Ｉｄａｔａ      データ電流
Ｉｐｉｘｅｌ    ピクセル電流
Ｒｅｓｅｔ      リセット信号
ＣＳ            制御信号
【図１】
2007233326.tif 000003
【図２】
2007233326.tif 000004
【図３】
2007233326.tif 000005
【図４】
2007233326.tif 000006
【図５】
2007233326.tif 000007
【図６ａ】
2007233326.tif 000008
【図６ｂ】
2007233326.tif 000009
【図７】
2007233326.tif 000010